(57)【特許請求の範囲】
【請求項１】
噴管（２）の根元部に噴霧液供給ホース（Ｈ）から噴管に至る管路（２ｂ）を開閉する止水コック（４）を有し、さらに、前記噴管（２）の少なくとも先端に噴霧ノズル（３）を有する噴霧機の散布竿に水抜き弁（５）を設け、止水コック（４）を閉弁させたときに前記噴管（２）内の残存噴霧液をその水抜き弁（５）経由で排出可能となした凍結防止散布竿。
【請求項２】
前記止水コック（４）と前記水抜き弁（５）を、噴霧液供給ホース（Ｈ）に対する前記噴管（２）の接続と排水口（１０）に対する前記噴管（２）の接続を選択的に切り替える３方弁（１１）で構成した請求項１に記載の凍結防止散布竿。
【請求項３】
前記３方弁（１１）として、弁体（１１ａ）の位置の切り替えによって前記噴管（２）を前記噴霧液供給ホース（Ｈ）に接続する第１の位置と、前記噴管（２）を前記噴霧液供給ホース（Ｈ）及び前記排水口（１０）の２者から同時に切り離す第２の位置と、前記噴管（２）を前記排水口（１０）に接続する第３の位置を選択できる構造の弁を設けた請求項２に記載の凍結防止散布竿。
【請求項４】
前記噴管（２）と前記噴霧液供給ホース（Ｈ）との間に下向き分岐の排水口（１０）を有する管継手（９）を設けてその管継手（９）に前記水抜き弁（５）を設置した請求項１に記載の凍結防止散布竿。
【発明の詳細な説明】
【技術分野】
【０００１】
この発明は、薬剤などを散布する噴霧機の散布竿、特に、使用後に内部に噴霧液が残存しやすい長尺の噴管（管竿）を有する散布竿であって、残存噴霧液の凍結を無くし得るようにした凍結防止散布竿に関する。
【背景技術】
【０００２】
殺虫剤の噴霧などに利用される噴霧機の中に、ひとつの噴管に対して複数の噴霧ノズルを設けたものがある。その構造の噴霧機に用いる散布竿のひとつを、本出願人は下記特許文献１で提案している。
【０００３】
その散布竿は、外パイプとその外パイプの内側に挿入した内パイプとで１本の噴管を構成し、内パイプをスライドさせることで噴管を伸縮させる。
【０００４】
なお、外パイプの内側に内パイプを挿入し、その内パイプを抜き差しすることで長さを可変となした噴管は、市販品の中にも存在する。
【先行技術文献】
【特許文献】
【０００５】
【特許文献１】特願２０１０−１３６９９４号
【発明の概要】
【発明が解決しようとする課題】
【０００６】
長尺の噴管を用いて噴霧範囲を広げる散布竿は特に、使用後に噴管の内部に噴霧液が残存しやすい。噴管の根元部（畦畔噴口と称されている部分の後方）には、噴管の管路を開閉する止水コックが設けられており、その止水コックを閉じると、管路の出口に流出抵抗の大きい噴霧ノズルがあることから、噴管の内部に充満した噴霧液が排出されずに残ってしまう。
【０００７】
その残存噴霧液が冬季に凍結すると、凍結による噴霧液の体積膨張によって散布竿が破損する。また、破損には至らなくても噴管が詰まった状態になる。加えて、伸縮式散布竿の場合、凍結によって噴管の伸縮も妨げられ、噴霧液が溶けるまでの間、散布竿が使用不能となる。
【０００８】
この発明は、噴霧機の散布竿を、残存噴霧液の凍結が生じないものにして凍結による破損や一時的な使用規制の問題をなくすることを課題としている。
【課題を解決するための手段】
【０００９】
上記の課題を解決するため、この発明においては、噴管の根元部に噴霧液供給管から噴管に至る管路を開閉する止水コックを有し、さらに、噴管の少なくとも先端に噴霧ノズルを有する噴霧機の散布竿に水抜き弁を設け、止水コック閉弁時に噴管内の残存噴霧液をその水抜き弁経由で排出可能となした。
【００１０】
前記止水コックと前記水抜き弁は、複合化（一体化）されたものが好ましく、両弁を３方弁で構成することでその複合化を実現することができる。
【００１１】
その３方弁は、弁体の位置の切り替えによって前記噴管を前記噴霧液供給管に接続する（連通させる）第１の位置と、前記噴管を前記噴霧液供給管及び前記排水口の２者から同時に切り離す（連通を断つ）第２の位置と、前記噴管を前記排水口に接続する（連通させる）第３の位置を選択できる構造の弁が特に好ましい。
【００１２】
前記水抜き弁は、前記噴管と前記噴霧液供給ホースとの間に下向き分岐の排水口を有する管継手を設けてその管継手に設置することもできる。
【００１３】
止水コックから独立させて設ける水抜き弁は、レバーを９０度回転させるだけで弁部の開閉ができる排水コック（市販品でよい）が操作性に優れるが、凍結防止の目的は、ゲートバルブなどを水抜き弁として用いても達成される。
【発明の効果】
【００１４】
この発明の散布竿は、止水コックを閉じて水抜き弁を開くことで、噴管内に残存した噴霧液を外部に排出することができる。その操作で、噴霧液そのものが無くなるため、噴管内での凍結が起こらず、凍結による散布竿の損傷や使用規制が回避される。
【００１５】
なお、前記水抜き弁を、止水コックと一体の３方弁で構成したもの、中でも、弁体の位置の切り替えによって前記第１〜第３の位置を選択できる３方弁を用いたものは、弁体を前記第２の位置に動かすことで噴管を噴霧液供給ホースと排水口の双方から切り離して噴管内の噴霧液を短期間であれば保持することもできる。
【００１６】
薬剤入り噴霧液を散布する用途では、凍結の懸念が無ければ噴霧液の浪費をできるだけ減らすのがよく、３方弁として、噴管を噴霧液供給ホースと排水口の双方から切り離し得るものを用いることは噴霧液の浪費抑制に関して有効である。水抜き弁と止水コックを複合化したものは操作性に優れ、小型化や低コスト化も実現できる。
【００１７】
止水コックと水抜き弁は、単独で設置されるもの、複合化されたもののどちらも手動弁でよく、電源を必要としない。
【００１８】
そのために、散布竿を使用する上での支障が全く生じない。また、電磁駆動の弁に比べて部品数が少なく、構造が単純で安価であり、故障する心配も殆どない。
【図面の簡単な説明】
【００１９】
【図１】この発明の凍結防止散布竿の一例を示す斜視図
【図２】図１の凍結防止散布竿の平面図
【図３】（ａ）：図１の凍結防止散布竿の根元側を、止水コック開、水抜き弁閉の状態にして示す側面視断面図、（ｂ）：図３（ａ）のIII−III線に沿った位置の水抜き弁開状態の断面図
【図４】図１の凍結防止散布竿の根元側を止水コック閉、水抜き弁開の状態にして示す側面視断面図
【図５】（ａ）：止水コックと水抜き弁を複合化した３方弁を、止水コック開、水抜き弁閉の状態にして示す断面図、（ｂ）：図５（ａ）の状態での３方弁のレバー位置を示す側面図
【図６】（ａ）：図５の３方弁を止水コック、水抜き弁が共に閉の状態にして示す断面図、（ｂ）：図６（ａ）の状態での３方弁のレバー位置を示す側面図
【図７】（ａ）：図５の３方弁を止水コック閉、水抜き弁閉の状態にして示す断面図、（ｂ）：図７（ａ）の状態での３方弁のレバー位置を示す側面図
【発明を実施するための形態】
【００２０】
以下、添付図面の図１〜図７に基づいて、この発明の凍結防止散布竿の実施の形態を説明する。図１及び図２に例示した凍結防止散布竿１は、噴管２に複数の噴霧ノズル３を取り付け、さらに、噴管２の根元部に止水コック４と、この発明を特徴づける水抜き弁５を設けてなる。
【００２１】
６は、噴管２の畦畔噴口２ａ（根元側のパイプ）の外周に設けた手持ち用のグリップ、７は肩掛け用ベルトである。このグリップ６と肩掛け用ベルト７は必要に応じて設けられるものであって、必須の要素ではない。図中Ｈは、凍結防止散布竿１に接続される噴霧液供給ホースであって、ポンプ（図示せず）で汲み上げた噴霧液がこのホースを通して凍結防止散布竿１に送り込まれる。
【００２２】
噴霧ノズル３は、噴管２の先端と長手途中の２箇所に設けられている。畦畔噴口２ａよりも前方に配置される噴管の長手途中の噴霧ノズル３は、噴管２の外周にノズルホルダ８を装着してそのノズルホルダ８に取り付けているが、噴霧ノズル３は、散布竿の大きさによっては噴管２の先端のみに設けることも有り得る。
【００２３】
ノズルホルダ８の内部には図示しない流路が設けられており、その流路が噴管２に貫通させて設けた連絡孔（これも図示せず）を介して噴管２の内側の管路２ｂ（図３、図４参照）に連通し、管路２ｂから前記連絡孔経由でノズルホルダ８内の流路に噴霧液が流れ、それがノズルホルダ８に保持された噴霧ノズル３から霧化されて噴射される。
【００２４】
止水コック４は、図３、図４に示す球状の弁体４ａを、操作レバー４ｂの操作によって０°〜９０°の範囲で回転させて管路２ｂ（その管路の弁座４ｃとの間の通路）を開閉する周知のコックである。図示の止水コック４は操作性に優れるが、ボールバルブ以外のバルブと置き換えても差し支えない。
【００２５】
なお、図３の水抜き弁５は、球状の弁体５ａと、操作レバー５ｂと、弁座５ｃを組み合わせた手動操作式のボールバルブであるが、この水抜き弁５は、止水コック４に類似したゲートバルブなどとの置き換えが可能である。
【００２６】
水抜き弁５は、止水コック４と噴管２との間に下向き分岐の排水口１０を有する管継手９を配置してその管継手９に設けたが、止水コック４と水抜き弁５を複合化したバルブを採用することもできる。
【００２７】
その複合化したバルブの一例を図５〜図７に示す。例示のバルブは、メイン通路Ｍｐとそのメイン通路から分岐したサブ通路Ｓｐを有する単一の弁体（図示の弁体はボール状）１１ａと、その弁体を回転させる操作レバー１１ｂと、３個の弁座１１ｃを組み合わせた３方弁１１で構成されている。
【００２８】
その３方弁の操作レバー１１ｂは、凍結防止散布竿１の側部に設けられており、その操作レバー１１ｂを図５（ｂ）の第１の切り替え位置に保持すると、図５（ａ）に示すように、弁体１１ａのメイン通路Ｍｐが解放され、サブ通路Ｓｐが排水口１０側の弁座１１ｃによって閉鎖されて３方弁１１よりも噴霧液供給ホースＨ側の管路２ｂが噴管２に接続される。
【００２９】
また、操作レバー１１ｂを図６（ｂ）の位置に回動させると、弁体４ａの位置が図６（ａ）に示した第２の位置に切り替えられてその弁体に設けられたメイン通路Ｍｐとサブ通路Ｓｐが弁座１１ｃによって閉鎖され、噴霧液供給ホースＨの噴管２に対する接続と噴管２の排水口１０に対する接続が共に断たれる。
【００３０】
さらに、操作レバー１１ｂを図７（ｂ）の位置に回動させると、弁体１１ａの位置が図７（ａ）に示した第３の位置に切り替わって弁座１１ｃによる弁体のメイン通路Ｍｐの噴管２からの切り離しが継続された状態で弁体のサブ通路Ｓｐが噴管２に接続され、そのサブ通路Ｓｐとメイン通路Ｍｐ経由で噴管２の内部が排水口１０に連通して噴管２内の残存噴霧液が外部に排出される。
【００３１】
なお、操作レバー１１ｂの切り替え位置の確認は、レバーと弁ハウジングに照合用のマークを付したり、周知のラチェット機構を設けて行うと便利であるが、操作レバー１１ｂの操作位置によって噴霧液が散布されたり、散布が停止したり、存噴霧液が外部に排出されたりするので、照合用マークやラチェット機構は必ずしも必要ではない。
【００３２】
この発明の凍結防止散布竿１は、上述したように、使用後に止水コック４を閉じ、その後、レバー１１ｂの操作によって水抜き弁５を開いて噴管２の内部に残存している噴霧液を外部に排出することができる。また、凍結の心配が無ければ使用後に止水コック４と水抜き弁５の双方を閉じて噴管２の内部の残存噴霧液を保持することもできる。
【００３３】
なお、水抜き弁５が開弁したときの残存噴霧液の排出は、特に排出圧を加えるわけではない。従って、排水口１０は、噴管２の下側に設けるのがよい。
【００３４】
水抜き弁５を有する排水口１０を噴管２の下側に設けたものは、止水コック４を閉じ、水抜き弁５を開いた状態で散布竿１の先端側を少し持ち上げると、噴霧ノズル３の穴から噴管２に空気が流入して噴管２内の残存噴霧液が排水口１０から自然に流出する。
【００３５】
また、噴霧ノズル３の穴が水抜き弁５よりも低い位置にあるときには排水口１０から噴管２に空気が流入して噴霧ノズル３の穴から残存噴霧液が流出する。
【００３６】
なお、噴管２は、内パイプと、その内パイプを内側にスライド自在に挿入する外パイプと、内パイプをスライドの各点に固定するロック機構を組み合わせて構成される伸縮式の管であってもよい。勿論これに限定されるものではなく、周知の散布竿の全てにこの発明を適用できる。
【符号の説明】
【００３７】
１          凍結防止散布竿
２          噴管
２ａ        畦畔噴口
２ｂ        管路
３          噴霧ノズル
４          止水コック
４ａ        弁体
４ｂ        操作レバー
４ｃ        弁座
５          水抜き弁
５ａ        弁体
５ｂ        操作レバー
５ｃ        弁座
６          グリップ
７          肩掛け用ベルト
８          ノズルホルダ
９          管継手
１０        排水口
１１        止水コックと水抜き弁を複合化した３方弁
１１ａ      弁体
１１ｂ      操作レバー
１１ｃ      弁座
Ｈ          噴霧液供給ホース
【要約】
【課題】噴霧機の散布竿を、残存噴霧液の凍結が生じないものにして凍結による破損や一時的な使用規制の問題をなくすることを課題としている。
【解決手段】噴管２の根元部に管路２ｂを開閉する止水コック４を、噴管２の少なくとも先端に噴霧ノズルをそれぞれ有する噴霧機の散布竿に対して水抜き弁５を設け、止水コック４の閉弁時に噴管２内の残存噴霧液を水抜き弁５経由で排出可能にした。止水コック４と水抜き弁５は３方弁１１で構成してその両者を複合化しているが、独立した弁として設けてもよい。
【選択図】図６【図１】
0005204339.tif 000002
【図２】
0005204339.tif 000003
【図３】
0005204339.tif 000004
【図４】
0005204339.tif 000005
【図５】
0005204339.tif 000006
【図６】
0005204339.tif 000007
【図７】
0005204339.tif 000008